(57)【要約】【課題】情報の双方向通信を可能にする筐体を提供する。【解決手段】複数の壁面１０で包囲された収納空間に物品Ａを収納する筐体１であって、操作画面を表示する透明ディスプレイ２０と、操作画面に表示された入力領域への入力を検知する入力検知手段３０と、を備えるものである。また、筐体１は、人物Ｍの健康状態を測定する健康状態測定手段８０を備え、人物検出手段７０が人物Ｍを検出すると、健康状態測定手段８０は測定を開始する。さらに、筐体１は、収納空間に建築物のレイアウトを示す建築模型Ａ又は地図を収納しており、建築模型Ａ又は地図は、光源Ｌが取付けられている。【選択図】図１
2018054846.tif 000002
【特許請求の範囲】
【請求項１】
複数の壁面で包囲された収納空間に物品を収納する筐体であって、
操作画面を表示する透明ディスプレイと、
前記操作画面に表示された入力領域への入力を検知する入力検知手段と、を備える
ことを特徴とする筐体。
【請求項２】
前記筐体は、音声入力手段及び音声出力手段を備える
ことを特徴とする請求項１に記載の筐体。
【請求項３】
前記筐体は、携帯端末の端末情報を読取る読取手段を備える
ことを特徴とする請求項１又は２に記載の筐体。
【請求項４】
前記筐体は、人物の接近を検出する人物検出手段を備える
ことを特徴とする請求項１から３までのいずれか１項に記載の筐体。
【請求項５】
前記人物検出手段は、前記人物を撮影する撮影手段である
ことを特徴とする請求項４に記載の筐体。
【請求項６】
前記筐体は、前記人物の健康状態を測定する健康状態測定手段を備え、
前記人物検出手段が前記人物を検出すると、前記健康状態測定手段は測定を開始する
ことを特徴とする請求項４又は５に記載の筐体。
【請求項７】
前記健康状態測定手段は、前記人物の体温を測定する体温測定手段、又は、前記人物の心拍数を測定するマイクロ波センサの少なくとも一方を有する
ことを特徴とする請求項６に記載の筐体。
【請求項８】
前記筐体は、前記収納空間に建築物のレイアウトを示す建築模型又は地図を収納しており、
前記建築模型又は地図は、光源が取付けられている
ことを特徴とする請求項１から７までのいずれか１項に記載の筐体。
【請求項９】
前記壁面のうち正面壁は、内部側にガラス板を有し、外部側に前記透明ディスプレイが設けられる
ことを特徴とする請求項１から８までのいずれか１項に記載の筐体。
【請求項１０】
前記筐体は、正面壁、背面壁、左側面壁、右側面壁、天面壁、底面壁の６つの壁面を有するとともに、前記左側面壁と前記背面壁とが、また、前記背面壁と前記右側面壁とが、それぞれ曲面で接続されており、
前記正面壁の側に、前記収納空間を照明する照明手段を備える
ことを特徴とする請求項１から９までのいずれか１項に記載の筐体。
【発明の詳細な説明】
【技術分野】
【０００１】
本発明は、収納空間に物品を収納する筐体に関する。
【背景技術】
【０００２】
従来、収納空間に物品を収納するショーケースや庫内に飲食品を収納する冷蔵庫などの筐体は、品物を保管・貯蔵するものであったが、近年、収納空間内の物品の情報をディスプレイに表示するものが知られている。
【０００３】
さらに、例えば、特許文献１には、筐体を透明ディスプレイで構成し、テレビや撮影画像・映像を表示するものが記載されている。
【先行技術文献】
【特許文献】
【０００４】
【特許文献１】特開２００４−２９３９０６号公報
【発明の概要】
【発明が解決しようとする課題】
【０００５】
しかしながら、特許文献１に記載の筐体では、表示内容を切替えることで、情報を選択することは可能であるが、基本的に情報を一方的に発信するのみであり、ユーザからの情報を取込むことができなかった。
【０００６】
そこで、本発明は、以上の課題に鑑みてなされたものであり、情報の双方向通信を可能にする筐体を提供することを目的とする。
【課題を解決するための手段】
【０００７】
（１）本発明に係る１つの態様は、複数の壁面で包囲された収納空間に物品を収納する筐体であって、操作画面を表示する透明ディスプレイと、前記操作画面に表示された入力領域への入力を検知する入力検知手段と、を備えるものである。
（２）上記（１）の態様において、前記筐体は、音声入力手段及び音声出力手段を備えてもよい。
（３）上記（１）又は（２）の態様において、前記筐体は、携帯端末ＩＤを読取る読取手段を備えてもよい。
（４）上記（１）から（３）までのいずれか１つの態様において、前記筐体は、人物の接近を検出する人物検出手段を備えてもよい。
（５）上記（４）の態様において、前記人物検出手段は、人物を撮影する撮影手段であってもよい。
（６）上記（４）又は（５）の態様において、前記筐体は、前記人物の健康状態を測定する健康状態測定手段を備え、前記人物検出手段が前記人物を検出すると、前記健康状態測定手段は測定を開始してもよい。
（７）上記（６）の態様において、前記健康状態測定手段は、前記人物の体温を測定する体温測定手段、又は、前記人物の心拍数を測定するマイクロ波センサを有してもよい。
（８）上記（１）から（７）までのいずれか１つの態様において、前記壁面のうち正面壁は、内部側にガラス板を有し、外部側に前記透明ディスプレイが設けられてもよい。
（９）上記（１）から（８）までのいずれか１つの態様において、前記筐体は、前記収納空間に建築物のレイアウトを示す建築模型又は地図を収納しており、前記建築模型又は地図は、光源が取付けられてもよい。
（１０）上記（１）から（９）までのいずれか１つの態様において、前記筐体は、正面壁、背面壁、左側面壁、右側面壁、天面壁、底面壁の６つの壁面を有するとともに、前記左側面壁と前記背面壁とが、また、前記背面壁と前記右側面壁とが、それぞれ曲面で接続されており、前記正面壁の側に、前記収納空間を照明する照明手段を備えてもよい。
【発明の効果】
【０００８】
本発明によれば、情報の双方向通信を可能にする筐体を提供することができる。
【図面の簡単な説明】
【０００９】
【図１】本発明の実施形態に係る筐体の斜視図である。
【図２】筐体の断面図である。
【図３】初期画面を示す概略図である。
【図４】ホーム画面を示す概略図である。
【図５】案内画面を示す概略図である。
【図６】電話画面を示す概略図である。
【図７】健康チェック画面を示す概略図である。
【図８】メモ画面を示す概略図である。
【図９】映像メモ画面を示す概略図である。
【図１０】テレビ画面を示す概略図である。
【発明を実施するための形態】
【００１０】
以下、本発明の実施形態について、図面を参照して詳細に説明する。なお、本明細書の実施形態においては、全体を通じて、同一の部材には同一の符号を付している。
【００１１】
図１は、本発明の実施形態に係る筐体１の斜視図であり、図２は、筐体１の断面図である。
図１に示される筐体１は、病院、デパート、美術館などの入口（玄関）に設置されるものであり、ユーザや一般人が訪問したときに、総合案内装置として用いられる。本実施形態では、筐体１は、病院に設置されるものとして説明する。
【００１２】
筐体１は、複数の壁面１０で包囲された収納空間に物品Ａを収納している。この物品Ａは、病院（建築物）のレイアウトを示す建築模型（以降、「建築模型Ａ」という。）である。建築模型Ａは、階段、エレベータ、診察室、病室、トイレなどの位置を示せるように、点灯／消灯する光源Ｌを適宜の箇所に複数取付けられている。なお、建築模型Ａは、３次元物であるが、地図のような２次元物（平面パネル）であってもよい。
【００１３】
筐体１は、正面壁１１、背面壁１２、左側面壁１３、右側面壁１４、天面壁１５、底面壁１６の６つの壁面１０を有し、これらの壁面１０で略立方体の収納空間を形成している。底面壁１６の下方に形成される空間には、図示されないパソコン（コンピュータ）ＰＣが収納されている。
【００１４】
壁面１０のうち正面壁１１は、内部側に強化ガラスなどのガラス板２１を有し、外部側に透明ディスプレイ２０が設けられている。正面壁１１は、ヒンジなどで開閉可能に構成されてもよい。
【００１５】
また、左側面壁１３及び右側面壁１４の正面壁１１側には、収納空間を照明するＬＥＤなどの照明手段１７がそれぞれ設けられている。この照明手段１７は、必要に応じて、天面壁１５側及び底面壁１６側にも設けられる。
【００１６】
他方、左側面壁１３及び右側面壁１４の背面壁１２側の内面は、左側面壁１３と背面壁１２とが曲面で接続され、また、右側面壁１４と背面壁１２とが曲面で接続されており、収納空間の内面が滑らかに形成されている（図２参照）。これにより、正面壁１１側の照明手段１７から照射された照明光は、背面壁１２、左側面壁１３及び右側面壁１４に反射され、収納空間に照明光が均一に拡散する。
【００１７】
正面壁１１に設けられる透明ディスプレイ２０は、透明液晶ディスプレイ又は透明有機ＥＬディスプレイが用いられる。また、透明ディスプレイ２０は、収納空間内の建築模型Ａを視認不能にする不透明状態を表示可能である。この不透明状態は、透明ディスプレイ２０の液晶に印加する電圧をオフにすることや、濃い色を表示させることで行われる。なお、透明ディスプレイ２０は、平面型でも、湾曲面型でもよい。
【００１８】
そして、筐体１は、透明ディスプレイ２０に表示された操作画面の入力領域への入力を検知する入力検知手段３０を備えている。この入力検知手段３０は、人物Ｍの指又は手に保持された入力具（スタイラス）の位置を検知するものである。
【００１９】
入力検知手段３０は、正面壁１１の内周に設けられ、透明ディスプレイ２０の表面に沿って赤外線を張り巡らしている。この入力検知手段３０は、投光器からの赤外線が指で遮断され、赤外線が受光できなかった受光器の位置を検知することで、指の位置及び移動を検知するものである。そのため、入力検知手段３０の投光器及び受光器は、正面壁１１の水平方向及び垂直方向に対となって配置される。ただし、入力検知手段３０は、透明ディスプレイ２０の更に表面に設けられた透明タッチパネルなどであってもよい。
【００２０】
筐体１は、マイク（音声入力手段）４０やスピーカ（音声出力手段）５０を備えている。マイク４０は、人物Ｍの声又は周囲の音を集音するもので、筐体１の天面壁１５に備えられている。一方、スピーカ５０は、人物Ｍ又は周囲に音を発音するもので、筐体１の左側面壁１３又は右側面壁１４の少なくとも一方に備えられている。
【００２１】
また、筐体１は、携帯端末Ｓの端末情報（以降、「ＩＤ」という。）を読取る読取手段６０を備えている。ここでの携帯端末Ｓは、いわゆる携帯電話やスマートフォンなどのＩＣチップあるいはＳＩＭカードを内蔵した移動通信端末類だけでなく、ＩＣチップやＲＦＩＤタグが内蔵された診察券などの人物Ｍが携帯するカード類も含むものとする。
【００２２】
携帯端末Ｓがカード類であれば、読取手段６０は、ＩＣチップなどからＩＤを接触又は非接触で読取るように構成される。一方、携帯端末Ｓが移動通信端末類であれば、読取手段６０は、携帯端末ＳのＩＤを接触又は非接触で読取ってもよいし、あるいは、移動体通信回線又は近距離無線通信などを介して、携帯端末Ｓの固有番号、ＭＡＣアドレスなどのＩＤを読取ってもよい。
【００２３】
さらに、筐体１は、人物Ｍの接近を検出する人物検出手段７０を備えている。この人物検出手段７０は、人物Ｍを撮影する撮影手段（以降、「撮影手段７０」という。）であって、撮影した画像を差分処理することで人物Ｍの接近を検出する。
【００２４】
もちろん、撮影手段７０は、人物Ｍの接近の検出だけでなく、人物Ｍや周囲の状況の写真や動画を撮影することができる。
【００２５】
加えて、筐体１は、人物Ｍの健康状態を非接触で測定する健康状態測定手段８０を備えている。この健康状態測定手段８０は、人物Ｍの体温を測定するサーモグラフィ８１あるいは赤外線温度センサなどの体温測定手段と、人物Ｍの心拍数を測定するマイクロ波センサ８２と、の少なくとも一方を有している。ただし、健康状態測定手段８０は、血圧計や体重計を有してもよく、これらが筐体１の正面近傍又は床面に設けられてもよい。
【００２６】
サーモグラフィ８１あるいは赤外線温度センサは、人物Ｍが放射する赤外線を検出し、赤外線エネルギーを体温に換算して測定する。なお、体温は、地域、季節、外気温、湿度服装などを考慮した温度補正がされると、より正確な体温を測定することができる。
【００２７】
マイクロ波センサ８２は、マイクロ波を人物Ｍに向けて照射し、人物Ｍの変動（鼓動）する体表から反射する反射波の変化、すなわちドップラー効果により、心拍数を測定する。このとき、マイクロ波センサ８２は、呼吸数を測定してもよい。
【００２８】
なお、撮影手段７０及び健康状態測定手段８０は、撮影方向又は測定方向を自動変更できるように位置・方向調整手段に載置されていてもよい。
【００２９】
これらの透明ディスプレイ２０、入力検知手段３０、読取手段６０、撮影手段７０及び健康状態測定手段８０は、パソコンＰＣに接続されており、各種処理がパソコンＰＣで実行される。このパソコンＰＣは、ＣＰＵや記憶手段を備えており、通信手段を介してインターネットや病院内のイントラネットに接続されており、さらに、クラウドサーバＣＳＶやファイルサーバＦＳＶとの間でデータ授受が可能になっている。そして、これらに集められたデータは、ビッグデータとして、あるいは、人工知能ＡＩの学習データとして活用してもよい。
【００３０】
このように構成される総合案内装置である筐体１を、病院に来院した人物（ユーザ）Ｍが利用する方法について、図３から図１０に示す、透明ディスプレイ２０に表示される操作又は表示画面とともに説明する。
【００３１】
人物Ｍを検出するまでは、筐体１は、透明ディスプレイ２０の上辺領域に、日時及び時刻などの時間情報や、天気及び気温などの天候情報や、ニュースなどのテキスト情報を表示し、その他の領域を、建築模型Ａが視認できる透明状態としている。ただし、その他の領域を、建築模型Ａが視認不能な不透明状態とし、テレビ映像やビデオ映像などの映像を表示させることも可能である（図１０参照）。
【００３２】
人物Ｍが筐体１の前に近づき、撮影手段７０が人物Ｍを検出すると、筐体１は、表示画面を、初期画面に切替えるとともに（図３参照）、「ご用件は何でしょう？」等の質問メッセージをスピーカ５０から出力する。と同時に、健康状態測定手段８０は、人物Ｍの健康状態の測定を開始する。測定した各種データは、日時、天気などとともに自動的に記憶手段などに保存されてもよい。
【００３３】
人物Ｍが、操作画面のボタンＢ０を指で触れると、筐体１は、表示画面をホーム画面Ｇ０に切替える（図４参照）。また、人物Ｍが、ボタンＢ０に触れずに、声で出して返事をしても、筐体１は、マイク４０で音声を集音し、意味を判断して、表示画面をホーム画面Ｇ０に切替える。このような発話解析し、認識する会話機能のソフト（人工知能ＡＩ）は、パソコンＰＣにインストールされている。なお、表示や会話は、多言語に対応している。
【００３４】
ホーム画面Ｇ０は、案内画面Ｇ１に移行するボタンＢ１、電話画面Ｇ２に移行するボタンＢ２、健康チェック画面Ｇ３、メモ画面Ｇ４に移行するボタンＢ４、映像メモ画面Ｇ５に移行するボタンＢ５、テレビ画面Ｇ６に移行するボタンＢ６、Ｗｅｂブラウザ画面Ｇ７に移行するボタンＢ７、調理レシピ画面Ｇ８に移行するボタンＢ８、ショッピング画面Ｇ９に移行するボタンＢ９などを表示しているが、これに限られず、必要に応じて他の画面への移行ボタンが追加・削除されてもよい。
【００３５】
案内画面Ｇ１に移行するボタンＢ１に触れると、筐体１は、診療科目、病室、トイレなどの目的地の選択肢を表示する（図５参照）。目的地が選択されると、建築模型Ａの目的地の光源Ｌを点灯又は点滅させる。このとき、現在地から目的地までの経路を、光源Ｌで示してもよいし、経路の画面を建築模型Ａに重ね合わせるように透明ディスプレイ２０に表示してもよい。あるいは、人物Ｍが表示画面を有する携帯端末Ｓを携帯していれば、その携帯端末Ｓに、現在地から目的地までの経路を出力し、ナビゲーションするようにしてもよい。
【００３６】
加えて、選択肢の診療科目をボタン化して、更に別の画面を表示するようにしてもよい。例えば、診察スケジュールや、各医師の経歴などを表示するとよい。
【００３７】
電話画面Ｇ２に移行するボタンＢ２に触れると、筐体１は、電話又はテレビ電話で連絡可能な受付、医師、病室などの選択肢を表示する（図６参照）。人物Ｍは、選択肢のアイコンに触れることで、電話連絡を行うことができる。
【００３８】
健康チェック画面Ｇ３に移行するボタンＢ３に触れると、筐体１は、健康状態測定手段８０のサーモグラフィ８１及びマイクロ波センサ８２で測定した、体温、心拍数、呼吸数などを表示する（図７参照）。また、測定したデータは、人物Ｍの携帯端末Ｓに出力したり、担当医師の端末装置に出力したりするように構成されてもよく、さらに、定期的（数回ごと）にクラウドサーバＣＳＶにアップロードされてもよい。さらに、健康状態の測定結果を過去の測定結果と比較又は分析し、人工知能ＡＩが人物Ｍと会話を始めてもよい。
【００３９】
メモ画面Ｇ４に移行するボタンＢ４に触れると、筐体１は、パソコンＰＣ、クラウドサーバＣＳＶやファイルサーバＦＳＶなどの記憶手段に記憶されたメモ帳データを表示する（図８参照）。一方、映像メモ画面Ｇ５に移行するボタンＢ５に触れると、筐体１は、パソコンＰＣ、クラウドサーバＣＳＶやファイルサーバＦＳＶなどの記憶手段に記憶された映像メモデータを表示する（図９参照）。
【００４０】
また、メモ帳データは、筐体１側で人物Ｍが自由に編集することができる。そして、透明ディスプレイ２０に、キーボードを表示して入力させたり、手書きで入力させたりするとよい。さらに、これらのメモ帳データや映像メモデータは、人物Ｍの携帯端末Ｓに出力したり、逆に、人物Ｍの携帯端末ＳからパソコンＰＣに入力されたりしてもよい。このとき、メモ帳データは、携帯端末Ｓ側でも自由に編集することができるとよい。
【００４１】
テレビ画面Ｇ６に移行するボタンＢ６に触れると、筐体１は、テレビ映像を表示する（図１０参照）。なお、チャンネルの選択や音量の調整用のメニューも用意されている。
【００４２】
Ｗｅｂブラウザ画面Ｇ７、調理レシピ画面Ｇ８、ショッピング画面Ｇ９については、一般的に普及している画面と同様であるため、説明を省略する。
【００４３】
なお、撮影手段７０が人物Ｍを検出したとき、筐体１は、読取手段６０を起動しておき、人物Ｍが携帯端末ＳのＩＤを読取って、人物Ｍが再診であると判断した場合、携帯端末ＳのＩＤに応じて、表示画面を人物Ｍの専用ホーム画面ＧＭに切替えたり、あるいは、すぐに現在地から目的地までの経路を光源Ｌで示したりしてもよい。
【００４４】
これら画面の透明ディスプレイ２０への表示や、入力検知手段３０、マイク４０、スピーカ５０、読取手段６０、撮影手段７０、健康状態測定手段８０の各種制御・処理は、パソコンＰＣの記憶手段に記憶されたプログラムに従って、ＣＰＵに各ステップを実行させる。
【００４５】
以上のとおり、本発明の実施形態に係る筐体１は、複数の壁面１０で包囲された収納空間に物品Ａを収納する筐体であって、操作画面を表示する透明ディスプレイ２０と、操作画面に表示された入力領域への入力を検知する入力検知手段３０と、を備える。
【００４６】
これにより、収納空間に収納された物品Ａが視認可能な筐体１と、人物Ｍとの間で情報の双方向通信を可能にすることができる。
【００４７】
実施形態では、マイク４０及びスピーカ５０を備えている。これにより、情報の双方向通信を、文字、画像、映像だけでなく、音声でも行うことができる。
【００４８】
実施形態では、携帯端末Ｓの端末情報ＩＤを読取る読取手段６０を備えている。これにより、携帯端末Ｓの端末情報ＩＤに基づいて、人物Ｍを特定することができる。
【００４９】
実施形態では、人物Ｍの接近を検出する人物検出手段７０を備えている。これにより、
筐体１に、人物Ｍが接近したか否かを検出することができ、各種制御のタイミングの基準にすることができる。
【００５０】
実施形態では、人物検出手段７０は、人物Ｍを撮影する撮影手段７０である。これにより、撮影手段７０で撮影された画像又は映像を差分処理することで、人物Ｍの接近を検出することができる。
【００５１】
実施形態では、人物Ｍの健康状態を測定する健康状態測定手段８０を備えている。人物検出手段７０が人物Ｍを検出すると、健康状態測定手段８０は測定を開始する。これにより、人物Ｍを検出すると同時に、人物Ｍの健康状態を測定することができる。
【００５２】
実施形態では、健康状態測定手段８０は、人物Ｍの体温を測定するサーモグラフィ８１、又は、人物Ｍの心拍数又は呼吸数を測定するマイクロ波センサ８２の少なくとも一方を有する。これにより、人物Ｍの体温、心拍数及び呼吸数などを測定することができる。
【００５３】
実施形態では、収納空間に建築物のレイアウトを示す建築模型Ａ又は地図を収納しており、建築模型Ａ又は地図は、光源Ｌが取付けられている。これにより、現在地、目的地及び経路などが理解し易くなる。
【００５４】
実施形態では、壁面１０のうち正面壁１１は、内部側にガラス板２１を有し、外部側に透明ディスプレイ２０が設けられている。これにより、透明ディスプレイ２０を大型化しても、透明ディスプレイ２０の破損を防止することができる。また、収納空間を低温にしても、透明ディスプレイ２０に温度の影響が及ばない。
【００５５】
実施形態では、正面壁１１、背面壁１２、左側面壁１３、右側面壁１４、天面壁１５、底面壁１６の６つの壁面１０を有するとともに、左側面壁１３と背面壁１２とが、また、背面壁１２と右側面壁１４とが、それぞれ曲面で接続されており、正面壁１１の側に、収納空間を照明する照明手段１７を備えている。これにより、照明手段１７の照明光が、曲面で反射することで、収納空間内に均一に拡散するから、照明手段１７の照明光が、透明ディスプレイ２０のバックライトの代替となり、透明状態又は不透明状態がはっきりとし、透明ディスプレイ２０に表示される画像・映像が見え易くなるし、収納空間内の建築模型Ａ又は地図が見えないようにすることもできる。
【００５６】
また、筐体１（及びパソコンＰＣ）と、携帯端末Ｓと、クラウドサーバＣＳＶやファイルサーバＦＳＶなどで構成される総合案内システムとして構成されてもよい。携帯端末Ｓは、携帯端末Ｓに記憶されたプログラムに従って、クラウドサーバＣＳＶやファイルサーバＦＳＶにアップロードされたデータに直接アクセスし、データを授受してもよい。
【００５７】
（変形例）
上記実施形態では、筐体１は、総合案内装置として構成されたが、一般家庭で飲食品を保管・貯蔵する冷蔵庫や、販売店で商品を展示するショーケースとして構成されてもよい。冷蔵庫であれば、保管した飲食品を視認できるため、扉を開閉する必要がなく、その場で具材に応じたレシピをインターネットから検索することができる。また、不足している飲食品を注文することができる。例えば、特開２０１５−２３２４１２号公報に記載された操作表示装置に表示される冷蔵庫の画面が、実物の冷蔵庫の扉で実現できることになる。
【００５８】
一方、ショーケースであれば、商品の原産地（製造工場）や諸元などの情報を表示することや、使用方法を映像で説明することや、商品を取出さずにあらゆる角度から見せることなどができる。
【００５９】
上記実施形態では、人物検出手段７０は、人物Ｍを撮影する撮影手段７０で兼用されたが、人物Ｍの接近を感知する赤外線センサなど別手段としてもよい。
【００６０】
上記実施形態では、人物Ｍが携帯する携帯端末ＳのＩＤを読取手段６０で読取って、人物Ｍを特定したが、撮影手段７０で撮影した画像に基づいて顔認証を行い、人物Ｍを直接特定してもよい。
【００６１】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００６２】
１    筐体
１０  壁面、１１  正面壁、１２  背面壁、１３  左側面壁、１４  右側面壁、１５  天面壁、１６  底面壁、１７  照明手段
２０  透明ディスプレイ、２１  ガラス板
３０  入力検知手段
４０  マイク（音声入力手段）
５０  スピーカ（音声出力手段）
６０  読取手段
７０  撮影手段（人物検知手段）
８０  健康状態測定手段、８１  サーモグラフィ（体温測定手段）、８２  マイクロ波センサ
Ａ    建築模型（物品）、Ｌ  光源
Ｍ    人物、Ｓ  携帯端末、ＩＤ  端末情報
【図１】
2018054846.tif 000003
【図２】
2018054846.tif 000004
【図３】
2018054846.tif 000005
【図４】
2018054846.tif 000006
【図５】
2018054846.tif 000007
【図６】
2018054846.tif 000008
【図７】
2018054846.tif 000009
【図８】
2018054846.tif 000010
【図９】
2018054846.tif 000011
【図１０】
2018054846.tif 000012
【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
複数の壁面で包囲された収納空間に物品を収納する筐体であって、
操作画面を表示する透明ディスプレイと、
前記操作画面に表示された入力領域への入力を検知する入力検知手段と、
データを記憶する記憶手段と、
人物を特定する人物特定手段と、を備え、
前記筐体は、前記人物特定手段により人物を特定すると、前記透明ディスプレイにその人物に対応したホーム画面を表示する
ことを特徴とする筐体。
【請求項２】
前記筐体は、音声入力手段及び音声出力手段を備える
ことを特徴とする請求項１に記載の筐体。
【請求項３】
前記筐体は、前記記憶手段に記憶され、前記人物に対応した前記データに基づいて、前記人物と会話する
ことを特徴とする請求項２に記載の筐体。
【請求項４】
前記人物に対応した前記データを、前記透明ディスプレイに出力する
ことを特徴とする請求項１から３までのいずれか１項に記載の筐体。
【請求項５】
前記人物特定手段は、携帯端末の端末情報を読取る読取手段又は人物の顔認証を行う顔認証手段である
ことを特徴とする請求項１から４までのいずれか１項に記載の筐体。
【請求項６】
前記筐体は、人物の接近を検出する人物検出手段と、
前記人物の健康状態を測定する健康状態測定手段と、を備え、
前記筐体は、前記人物検出手段が前記人物を検出すると、前記健康状態測定手段は測定を開始し、測定された健康状態に関するデータを、前記記憶手段に保存する
ことを特徴とする請求項１から５までのいずれか１項に記載の筐体。
【請求項７】
前記健康状態測定手段は、前記人物の体温を測定する体温測定手段、又は、前記人物の心拍数を測定するマイクロ波センサの少なくとも一方を有する
ことを特徴とする請求項６に記載の筐体。
【請求項８】
前記筐体は、前記収納空間に建築物のレイアウトを示す建築模型又は地図を収納しており、
前記操作画面で目的地が選択されると、現在地から目的地までの経路に応じて点灯又は点滅する光源が、前記建築模型又は地図に取付けられている
ことを特徴とする請求項１から７までのいずれか１項に記載の筐体。
【請求項９】
請求項１から８までのいずれか１項に記載の筐体と、
人物に携帯され、前記筐体とデータ授受できる携帯端末と、で構成される
ことを特徴とするシステム。
【請求項１０】
前記システムは、前記人物特定手段により特定された前記人物に対応し、前記記憶手段に保存された前記データを、前記特定された人物の前記携帯端末に出力する
ことを特徴とする請求項９に記載のシステム。